(57)【要約】【課題】集塵室内に紙パックまたはダストボックスを択一的に装着でき、いずれを装着した場合でも良好に塵埃を捕獲することができる電気掃除機を提供する。【解決手段】上蓋１１を閉じてダストボックス２４を集塵室７内に完全に挿入して装着し、掃除が可能な状態であり、このとき、ダストボックス２４の前面は紙パック装着検出スイッチ１７に接触することがないので、紙パック装着検出スイッチ１７は「オフ」の状態である。プリーツ形状の略平面状フィルターでなる塵埃捕集手段（集塵フィルター）２５は、集塵室７の排気側の下部に配置された除塵手段１２の円板１５に形成された突起１６と接触状態にされる。この状態で、集塵室上蓋開閉検出スイッチ１８は「オン」の状態となり、除塵モータで駆動される除塵手段１２は動作可能となる。【選択図】      図５
2008289764.tif 000002
【特許請求の範囲】
【請求項１】
電動送風機により生じる吸込口から本体に吸い込まれる吸気に含まれる塵埃を捕獲することができる電気掃除機であって、
前記本体内に形成され、前記吸込口から吸い込まれる吸気に含まれる塵埃を捕獲するための紙パックまたはダストボックスを択一的に装着可能であり、塵埃が捕獲された後の吸気を排出するための排出口が形成された集塵室と、前記電動送風機の吸気上流側に配設され、前記ダストボックスの吸引した塵埃を捕集する塵埃捕集手段の除塵を行う除塵手段と、電力を供給することで除塵手段を駆動する除塵モータとを備え、前記集塵室に前記紙パックが装着されているときには、前記吸込口から吸い込まれる空気は、前記紙パックで除塵された後、前記集塵室内を通って前記排出口から排出され、前記集塵室に前記ダストボックスが装着されているときには、前記ダストボックスにより前記吸込口と前記排出口とが連通されて、前記吸込口から吸い込まれる空気は、前記ダストボックスでサイクロン除塵されて前記塵埃捕集手段を介して前記排出口から排出される電気掃除機において、
前記集塵室には、集塵室上蓋が動作したことを検出する集塵室上蓋開閉検出スイッチと前記集塵室に紙パックが装着されているときに動作する紙パック装着検出スイッチが配置され、前記紙パック装着検出スイッチがオフで前記集塵室上蓋開閉検出スイッチがオンのときのみ、前記除塵モータに電力を供給して駆動力により前記除塵手段が動作可能としたことを特徴とする電気掃除機。
【請求項２】
前記紙パックが装着されているときに動作する紙パック装着検出スイッチは紙パックの吸気側の台紙に係合するように配置されていることを特徴とする請求項１記載の電気掃除機。
【請求項３】
前記ダストボックスの前記塵埃捕集手段は略平面状でプリーツ形状のフィルターであることを特徴とする請求項１記載の電気掃除機。
【請求項４】
前記除塵手段は、除塵モータの運動に連動し、前記塵埃捕集手段のプリーツ形状のフィルターに対向する面の一部に突起を有する部材であることを特徴とする請求項１記載の電気掃除機。
【請求項５】
前記除塵手段は、除塵モータの回転に連動して回転し、前記塵埃捕集手段のプリーツ形状のフィルターに対向する面の一部に突起を有する円板であることを特徴とする請求項１記載の電気掃除機。
【請求項６】
前記除塵モータの制御回路には過負荷検出用の電流検出手段を有することを特徴とする請求項１記載の電気掃除機。
【発明の詳細な説明】
【技術分野】
【０００１】
本発明は紙パック（集塵袋）またはダストボックス（集塵容器）を択一的に装着でき、いずれを装着した場合でも良好に塵埃を捕獲することができる電気掃除機に関する。
【背景技術】
【０００２】
一般的な電気掃除機は、電動送風機を備えた本体と、床面に沿って移動される吸込部と、集塵袋）を装着することができるようになっている。この種の電気掃除機を運転させると、本体に備えられた電動送風機の駆動により、吸込部から機外の空気（床面上の空気）が吸い込まれ、その吸気が、接続ホースを通って本体に形成された吸込口から本体内に吸い込まれる。本体内には、吸込口に連通し、紙パックを収容するための集塵室が形成されていて、吸込口から吸い込まれた吸気が集塵室を通過する過程で、その吸気に含まれる塵埃が紙パックにより捕獲され、集塵室に形成された排出口から排出されるようになっている。集塵室の排出口から排出された吸気は、本体内を通過して、本体の背面などに形成された排気口から機外に排出される。
【０００３】
しかし、この種の電気掃除機では、紙パックを簡単に取り外し、装着できる利点があるが、使い捨ての紙パックを用いるため不経済であると共に、環境保護の観点からも好ましくない。また、紙パックは、その内部にある程度塵埃が溜まるまで交換されないため、溜まった塵埃などから悪臭が生じたり、塵埃が溜まるにつれて吸込力が低下し、集塵効率が悪くなるといった問題がある。
【０００４】
そこで最近では、吸込口から吸い込まれた空気を旋回させるなどして、その空気に含まれる塵埃を捕獲することができるダストボックス（集塵容器）を備えたサイクロン式電気掃除機が知られている。ダストボックス内に溜まった塵埃は、そのダストボックス集塵容器を本体から取り外して所定の操作を行うことにより、容易に除去することができる。ダストボックスを用いた電気掃除機では、ダストボックス内に溜まった塵埃を頻繁に（例えば、掃除を行う毎に）除去することにより、悪臭の発生や集塵効率の低下を防止することができるという利点がある。
【０００５】
しかし、サイクロン式電気掃除機では、吸引した塵埃を捕集するダストボックス（集塵容器）の塵埃捕集手段の内面に塵埃が付着し、集塵能力が低下することがあるため、塵埃捕集手段の除塵を行なうための除塵手段を備えるものが提案されている。その一つとして、塵埃捕集手段の集塵部（集塵フィルタ）を加振することにより除塵する除塵手段を有し、電源コードを引き出す操作によって、電源コードの巻き取り機構の回転をクラッチ機構などを解して介して集塵フィルタへ除塵振動を伝達する構成のものがあった（例えば、特許文献１参照）。
【０００６】
また、塵埃捕集手段である集塵フィルタの除塵を行なうための除塵手段を構成する干渉体が、駆動伝達手段であるアームにより、減速機構を備え電力を供給することで駆動する駆動手段であるモータの軸に連結されており、モータが駆動することによってガイド溝に沿って干渉体が移動し、この動作によって、集塵フィルタのプリーツを順に叩き、振動させることによって集塵フィルタの塵埃捕集面側に付着した細塵を振るい落とすことができるサイクロン式電気掃除機も公知である（例えば、特許文献２参照）。
【０００７】
また、ユーザの好みに応じて、紙パックまたはダストボックスのいずれかを集塵室内に装着して使用することができて利便性を向上することを目的とした、紙パックまたはダストボックスを択一的に装着できて、いずれを装着した場合でも良好に塵埃を捕獲することができる電気掃除機も提案されている（例えば、特許文献３参照）。
【特許文献１】特開昭５８−６５１２７号公報
【特許文献２】特開２００４−３５８０３２号公報
【特許文献３】特開２００６−２１２３３９号公報
【発明の開示】
【発明が解決しようとする課題】
【０００８】
このように、ユーザの好みに応じて、紙パックまたはダストボックスのいずれかを集塵室内に装着して使用することができて利便性を向上することができる、集塵室内に紙パックまたはダストボックスを択一的に装着可能な構成の電気掃除機が注目されているが、上記したように、紙パックであれば、除塵能力が低下したら取り替えれば良いので、特別に除塵手段は必要ないが、サイクロン式電気掃除機では、塵埃捕集手段である集塵フィルタの除塵を行なう必要がある。そのために設けられた除塵手段は、集塵室内にダストボックスが装着されているときのみユーザの指示により動作可能とし、集塵室内に紙パックが装着されているときに、ユーザが除塵操作のためのスイッチを誤操作しても除塵手段が誤動作しないようにしなければならない。
【０００９】
そこで本発明は、集塵室内に紙パックまたはダストボックスを択一的に装着でき、いずれを装着した場合でも良好に塵埃を捕獲することができるようにすると共に、除塵手段は集塵室内に紙パックが装着されているときには誤動作しないようにし、集塵室内にダストボックスが装着されているときにのみ、除塵手段がユーザの指示により動作可能にするように構成した電気掃除機を提供することを目的とする。
【課題を解決するための手段】
【００１０】
上記課題を解決するために、本発明の請求項１に係る電気掃除機は、電動送風機により生じる吸込口から本体に吸い込まれる吸気に含まれる塵埃を捕獲することができる電気掃除機であって、前記本体内に形成され、前記吸込口から吸い込まれる吸気に含まれる塵埃を捕獲するための紙パックまたはダストボックスを択一的に装着可能であり、塵埃が捕獲された後の吸気を排出するための排出口が形成された集塵室と、前記電動送風機の吸気上流側に配設され、前記ダストボックスの吸引した塵埃を捕集する塵埃捕集手段の除塵を行う除塵手段と、電力を供給することで除塵手段を駆動する除塵モータとを備え、前記集塵室に前記紙パックが装着されているときには、前記吸込口から吸い込まれる空気は、前記紙パックで除塵された後、前記集塵室内を通って前記排出口から排出され、前記集塵室に前記ダストボックスが装着されているときには、前記ダストボックスにより前記吸込口と前記排出口とが連通されて、前記吸込口から吸い込まれる空気は、前記ダストボックスでサイクロン除塵されて前記塵埃捕集手段を介して前記排出口から排出される電気掃除機において、前記集塵室には、集塵室上蓋が動作したことを検出する集塵室上蓋開閉検出スイッチと前記集塵室に紙パックが装着されているときに動作する紙パック装着検出スイッチが配置され、前記紙パック装着検出スイッチがオフで前記集塵室上蓋開閉検出スイッチがオンのときのみ、前記除塵モータに電力を供給して駆動力により前記除塵手段が動作可能となる構成とした。
【００１１】
こうして、本発明の電機掃除機は、集塵室内に紙パックまたはダストボックスを択一的に装着でき、いずれを装着した場合でも良好に塵埃を捕獲することができるようにすると共に、除塵手段は集塵室内に紙パックが装着されているときには誤動作しないようにし、集塵室内にダストボックスが装着されているときにのみ、除塵手段がユーザの指示により動作可能にできる。
【００１２】
本発明の請求項２に係る電気掃除機は、前記請求項１の電気掃除機において、前記紙パックが装着されているときに動作する紙パック装着検出スイッチは紙パックの吸気側の台紙に係合するように配置されている構成とした。
【００１３】
こうして、紙パックが集塵室内に挿入されたとき、台紙の下端縁部が係止部材に係止されて集塵室内に固定される。このとき、台紙が紙パック装着検出スイッチに係合し、スイッチ「オン」の状態となり、紙パックを集塵室内に完全に挿入して装着し、紙パック装着検出スイッチ１７の「オン」、「オフ」状態を確実に検出することができる。
【００１４】
本発明の請求項３に係る電気掃除機は、前記請求項１の電気掃除機において、前記ダストボックスの前記塵埃捕集手段は略平面状でプリーツ形状のフィルターに構成した。
【００１５】
こうして、集塵フィルターに細塵が堆積し続けて通気抵抗が増大し、吸い込み性能が低下し十分な掃除性能が発揮できない状態になってしまうが、集塵フィルターの塵埃捕集面側に付着した細塵を振るい落とすことによって、吸い込み性能の低下を防止することができる。
【００１６】
本発明の請求項４に係る電気掃除機は、前記請求項１の電気掃除機において、前記除塵手段は、除塵モータの運動に連動し、前記塵埃捕集手段のプリーツ形状のフィルターに対向する面の一部に突起を有する部材に構成した。
【００１７】
本発明の請求項５に係る電気掃除機は、前記請求項１の電気掃除機において、前記除塵手段は、除塵モータの回転に連動して回転し、前記塵埃捕集手段のプリーツ形状のフィルターに対向する面の一部に突起を有する円板に構成した。
【００１８】
こうして、塵埃捕集手段である集塵フィルターを略平面状で、不織布やろ紙などを山谷に折ることにより形成することにより、除塵モータの回転軸にカムを介して連動された円板が回転したとき、円板に形成された突起が、塵埃捕集手段である集塵フィルターの山谷を回転しながら順々になぞることにより、集塵フィルターに振動を与えて、細塵の除塵を行なうことができる。
【００１９】
本発明の請求項６に係る電気掃除機は、前記請求項１の電気掃除機において、前記除塵モータの制御回路には過負荷検出用の電流検出手段を有する構成とした。
【００２０】
こうして、ダストボックスの集塵フィルターに砂・ゴミが過度に付着したり、機構部品の変形等により除塵モータへの負荷が異常に大きくなったとき、ＣＰＵで電流値が一定の電流値以上になったことで、除塵機構の異常と判定し、除塵モータの運転を停止させる保護動作を行なうことができる。
【発明の効果】
【００２１】
以上のように本発明の電気掃除機は、集塵室内に紙パックまたはダストボックスを択一的に装着でき、いずれを装着した場合でも良好に塵埃を捕獲することができるようにすると共に、除塵手段は集塵室内に紙パックが装着されているときには誤動作しないようにし、集塵室内にダストボックスが装着されているときにのみ、除塵手段がユーザの指示により動作可能にできる。
【００２２】
また、集塵フィルターに細塵が堆積し続けて通気抵抗が増大し、吸い込み性能が低下し十分な掃除性能が発揮できない状態になってしまうが、塵埃捕集手段である集塵フィルターを略平面状で、不織布やろ紙などを山谷に折ることにより形成することにより、除塵モータの回転軸にカムを介して連動された円板が回転したとき、円板に形成された突起が、塵埃捕集手段である集塵フィルターの山谷を回転しながら順々になぞることにより、集塵フィルターの塵埃捕集面側に付着した細塵を振るい落とすことによって、簡単な機構で吸い込み性能の低下を防止することができる。
【発明を実施するための最良の形態】
【００２３】
本発明の電気掃除機の実施形態について図面を参照して説明する。図１は電気掃除機の全体図であり、集塵用の電動送風機を内蔵する掃除機本体１と、該掃除機本体１に接続される可撓性ホース５と、該可撓性ホース５に接続される延長管４と、該延長管４の一部に付設されたアタッチメント６と、前記可撓性ホース５の前記延長管接続側に形成された把持部３に配設される手元スイッチ部（図示せず）と、回転ブラシ、該回転ブラシを回転駆動する駆動モータを内蔵して前記延長管４に接続される床用吸込具２とからなる。
【００２４】
図示していないが、手元スイッチ部には、各種の運転運転を行うための操作スイッチ、例えば吸引能力を強くする強スイッチ、弱くする弱スイッチ、掃除機の運転を停止する切スイッチ、床磨きモードスイッチ、除塵手段の操作スイッチ等が選択可能に設けられている。
【００２５】
掃除を行う際には、ユーザは、本体１に備えられた電動送風機を駆動させた状態で、把持部３を把持して床用吸込具２を移動させることにより、床面上の塵埃を空気と共に吸い込ませる。床用吸込部２の吸引口には、周面に螺旋状の翼が形成された回転ブラシ（図示せず）が回転可能に配置されていて、この回転ブラシを高速で回転させることにより吸引口から塵埃を掻き込むことができる。回転ブラシは、吸引口から吸い込まれる空気の風圧で回転されるようになっていてもよいし、吸込部内に備えられたモータにより回転されるようになっていてもよい。吸込部のから吸い込まれた空気は、延長管４、可撓性ホース５を通って、吸込口から本体１内に流入する。
【００２６】
本体１内には、後述するように、吸込口に連通する集塵室７が形成されている。この集塵室７には、一般に市販されている使い捨ての紙パック（集塵袋）２０または、吸込口から吸い込まれた空気を旋回させることにより、その空気に含まれる塵埃を遠心力で分離させて捕獲するための旋回式のダストボックス（集塵容器）２４を択一的に装着することができる。
【００２７】
図２〜図５に、紙パック（集塵袋）２０またはダストボックス（集塵容器）２４を集塵室７に択一的に選択して装着できる本発明の電機掃除機の本体１を前後方向に沿った鉛直面で切断した断面図を示す。本体１は大別して集塵室７と電動送風機室８から構成され、集塵室７の前面に吸気口１０が形成されている。集塵室７には上蓋１１を開閉することにより内に紙パック２０またはダストボックス２４が択一的に選択して装着される。
【００２８】
また、集塵室７には、集塵室上蓋開閉検出スイッチ１８と集塵室７に紙パック２０が装着されているときに動作する紙パック装着検出スイッチ１７が配置され、集塵室７の排気側の下部には、カム１４に係合され、一部に突起１６を有する円板１５でなる除塵手段１２が設けられている。突起１６の数は任意に設けることができる。電動送風機室８には、電動送風機９と除塵モータ１３が配置されている。従って、除塵モータ１３と除塵モータ１３の回転軸に連動されたカム４と一部に突起１６を有する円板１５からなる除塵手段１２とにより除塵機構が構成される。
【００２９】
図２、図３は紙パック（集塵袋）２０を集塵室７に装着する状態を示している。図２は上蓋１１を開けて紙パック２０を装着しようとした状態図である。紙パック２０は、図に示すように、略矩形平板状の台紙２２と、この台紙２２の一方面（後面）に開口部が固定された袋２１とを含む。台紙２２の中央部には略円形の入口が形成されており、この入口の後方側が袋状の袋２１で覆われている。
【００３０】
紙パック２０は集塵室７内に挿入され、台紙２２の下端縁部が係止部材に係止されて集塵室７内に固定される。このとき、台紙２２が紙パック装着検出スイッチ１７に係合し、スイッチ「オン」の状態となる。この状態では、集塵室上蓋開閉検出スイッチ１８は未だ「オフ」の状態である。図３は上蓋１１を閉じて紙パック２０を集塵室７内に完全に挿入して装着し、掃除が可能な状態図であり、この状態で、集塵室上蓋開閉検出スイッチ１８は初めて「オン」の状態となる。そして、紙パック２０を集塵室７内に装着した場合は、紙パック装着検出スイッチ１７は「オン」、集塵室上蓋開閉検出スイッチ１８「オン」となる。
【００３１】
従って、集塵室７に紙パック２０が装着されているときには、吸気口１０から吸い込まれる空気は、台紙２２の入口から袋２１内に入り、この袋２１を通過する際に塵埃が捕獲され、塵埃が捕獲された後の空気が、集塵室７内における紙パック２０の外部を一旦通過してから、排出口より送風機収容室８内に排出される。そして、この時には、除塵手段１２は動作させる必要はない。
【００３２】
図４、図５は、集塵室７にダストボックス２４が装着された状態を示している。図４は上蓋１１を開けてダストボックス２４を装着しようとした状態図である。ダストボックス２４は、図に示すように、ダストボックス２４の上面には把手２６が形成され、前面にはダストボックス２４内への吸気の入口が略円形状に形成されている。ダストボックス２４は、例えば樹脂製であって、その内部に、吸気口１０から流入して後方に向かう吸気を螺旋状に旋回させ、その吸気に含まれる塵埃を遠心力で分離させるための旋回流路が形成されている。ダストボックス２４の後面には出口が形成されていて、この出口が、略平面状フィルターで、例えば、不織布やろ紙などを山谷に折ることにより形成された、プリーツ形状のなる塵埃捕集手段２５で覆われている。
【００３３】
図４は上蓋１１を開けてダストボックス２４を装着しようとした状態図である。ダストボックス２４は、集塵室７の上蓋１１を開いた状態で、上方から集塵室７内に挿入され、ダストボックス２４は集塵室７の下部の係止部に係止されて固定され、ダストボックス２４の入口の前端縁が吸気口に対向した状態で装着される。このとき、ダストボックス２４の前面は紙パック装着検出スイッチ１７に接触することがないので、紙パック装着検出スイッチ１７は「オフ」の状態である。
【００３４】
図５は上蓋１１を閉じてダストボックス２４を集塵室７内に完全に挿入して装着し、掃除が可能な状態図であり、プリーツ形状の略平面状フィルターでなる塵埃捕集手段（集塵フィルター）２５は、集塵室７の排気側の下部に配置された除塵手段１２の円板１５に形成された突起１６と接触状態にされる。この状態で、集塵室上蓋開閉検出スイッチ１８は「オン」の状態となる。
【００３５】
そして、集塵室７にダストボックス２４が装着されているときには、吸気口１０から吸い込まれる空気は、ダストボックス２４の旋回流路を旋回され、旋回する空気から分離された塵埃は、塵埃捕集手段２５により捕獲され、塵埃が捕獲された後の空気は、集塵室７の後面壁に形成された排出口から電動送風機室８内に流出する。電動送風機室８内に流出した空気は排気口から本体１の外部に排出される。
【００３６】
除塵手段１２が動作される、ダストボックス搭載判定の条件は、下記の表１のようになる。
【表１】
2008289764.tif 000003
【００３７】
従って、ダストボックス２４を集塵室７内に装着した場合は、紙パック装着検出スイッチ１７は「オフ」、集塵室上蓋開閉検出スイッチ１８「オン」となり、ダストボックスの搭載が確認されて、手元スイッチを操作することにより除塵動作を行なうことを可能にする。
【００３８】
次に、電動送風機９と除塵モータ１３の操作回路のブロック構成を図６を参照して説明する。図６において、制御基板３０には電源部３７と制御部３１が搭載され、制御部３１はＣＰＵ３２と本体モータ（電動送風機）制御回路３３と除塵モータ制御回路３４からなる。電源部３７には外部の電源３６から電力供給され、ＣＰＵ３２には手元運転スイッチ３５、紙パック装着検出スイッチ１７、集塵室上蓋（ダストＢＯＸカバー）開閉検出スイッチ１８からの信号がそれぞれ入力される。本体モータ（電動送風機）制御回路３３の出力は（電動送風機）９に供給される。また、除塵モータ制御回路３４の出力は除塵モータ１３に供給される。
【００３９】
図７には図６の操作回路のブロック構成をより回路構成で示したものであり、同一物には同じ符号を付している。手元スイッチ３５の各種の運転運転を行うための操作スイッチ、例えば吸引能力を強くする強スイッチ、弱くする弱スイッチ、掃除機の運転を停止する切スイッチ、床磨きモードスイッチ、除塵手段の操作スイッチ等の信号が選択的にＣＰＵ３２に入力される。手元スイッチ３５からＣＰＵ３２に本体モータ（電動送風機）９を駆動する操作がなされると、ＣＰＵ３２から制御回路３３に指令信号が出力され、制御回路３３は制御素子３８を制御して本体モータ（電動送風機）９へ電力供給して運転を行なう。
【００４０】
また、ＣＰＵ３２には手元スイッチ３５の信号と並列に、紙パック装着検出スイッチ１７、集塵室上蓋（ダストＢＯＸカバー）開閉検出スイッチ１８からの信号が、上記表１の条件にしたがってそれぞれ入力される。即ち、紙パック装着検出スイッチ１７の信号が「オフ」で、かつ、集塵室上蓋（ダストＢＯＸカバー）開閉検出スイッチ１８の信号が「オン」のときのみ、ダストボックス２４の搭載が確認されて、手元スイッチ３において除塵動作指令の操作がなされると、ＣＰＵ３２は除塵モータ制御回路３４に指令信号を出力して除塵モータ１３に電力を供給して除塵動作を行なう
【００４１】
図５を参照して除塵動作を説明する。ダストボックス２４のプリーツ形状の略平面状フィルタでなる塵埃捕集手段２５は、集塵室７の排気側の下部に配置された除塵手段１２の円板１５に形成された突起１６と接触状態であり、除塵モータ１３の回転軸にカム１４を介して連動された円板１５は回転するので、円板１５に形成された突起１６が、略平面状で、不織布やろ紙などを山谷に折ることにより形成された、プリーツ状の塵埃捕集手段である集塵フィルター２５の山谷を回転しながら順々になぞることにより、集塵フィルター２５に振動を与えて、細塵の除塵を行なうことができる。
【００４２】
これにより、集塵フィルター２５に細塵が堆積し続けて通気抵抗が増大し、吸い込み性能が低下し十分な掃除性能が発揮できない状態になってしまうが、集塵フィルター２５の塵埃捕集面側に付着した細塵を振るい落とすことによって、吸い込み性能の低下を防止することができる。  
【００４３】
ユーザが手元スイッチ３５を操作して行なう除塵手段の動作タイミングは次のケースが考えられる。（１）電動送風機９の運転を開始するとき、即ちユーザが掃除を開始し始めたときに、除塵モータ１３に所定時間通電して駆動させて集塵フィルター２５の除塵を行なうことにより、吸い込み性能の回復を図り、高い吸い込み性能で使用ができる。
【００４４】
また、（２）手元スイッチ３５の操作によって電動送風機９の運転を停止した後に動作させることができる。これにより、運転停止後、ダストボックス２４に溜まった塵埃を廃棄する直前に除塵を行なうので、ダストボックス２４内の全ての塵埃を廃棄することができる。
【００４５】
更に、（３）電動送風機９の運転中、即ちユーザが掃除使用中に、手元スイッチ３５の操作によって定期的に除塵モータ１３を駆動させて集塵フィルター２５の除塵を行ない、掃除使用中に頻繁に除塵動作を行なうことによって、吸い込み性能を回復させて、常に高い吸い込み性能を得ることができる。
【００４６】
図８の電動送風機９と除塵モータ１３の操作回路のブロック構成図は、図６の操作回路において、除塵モータ制御回路３４から除塵モータ１３への出力回路中に過負荷検出用の電流検出手段としてモータ電流検出回路３９を挿入し、該モータ電流検出回路３９の検出電流信号をＣＰＵ３２にフィードバックしている点で図６と異なるだけで、他は同じであるのでその点の説明は省略する。
【００４７】
これにより、ダストボックス２４の集塵フィルター２５に砂・ゴミが過度に付着したり、機構部品の変形等により除塵モータ１３への負荷が異常に大きくなったとき、ＣＰＵ３２で電流値が一定の電流値以上になったことで、除塵機構の異常と判定し、除塵モータの運転を停止させる保護動作を行なうものである。
【００４８】
つぎに、本発明の電気掃除機の除塵モータ１３の動作についてのＣＰＵ３２の処理を図９のフローチャートにより説明する。まず、ステップＳ１で動作開始し、ステップＳ２で、紙パック装着検出スイッチ１７が「オン」であるか否かを判定する。「オン」であれば（ＹＥＳ）、ステップＳ１０に至り処理動作は終了する。「オフ」であれば（ＮＯ）、ステップＳ３に至る。
【００４９】
次にステップＳ３で、集塵室上蓋（ダストＢＯＸカバー）開閉検出スイッチ１８が「オン」であるか否かを判定する。「オフ」であれば（ＮＯ）、ステップＳ１０に至り処理動作は終了する。「オン」であれば（ＹＥＳ）、ステップＳ４に至る。
【００５０】
ステップＳ４で、除塵モータ１３を運転させるか否かを判定する。「運転させない」であれば（ＮＯ）、ステップＳ１０に至り処理動作は終了する。「運転させる」であれば（ＹＥＳ）、ステップＳ５に至り、除塵モータ１３の運転を開始し、ステップＳ６で、モータ電流検出回路３９によりモータ電流検出を行なう。
【００５１】
次にステップＳ７で、モータ電流が一定値以上か否かを判定する。「一定値以上」であれば（ＹＥＳ）、ステップＳ８に至り、除塵モータ１３の運転を停止（保護動作）して、ステップＳ１０で処理動作は終了する。「一定値以上」でないならば（ＮＯ）、ステップＳ９に至り、除塵モータ１３の運転を継続して、ステップＳ１０で処理動作は終了する。
ここで、除塵モータ１３の過負荷保護を考慮する必要がなければ、上記ステップＳ６からステップＳ９は省略できる。
【００５２】
上述した本発明の実施形態では、除塵手段として、除塵モータ１３の回転軸にカム１４を介して連動された円板１５を回転し、円板１５に形成された突起１６が、略平面状で、不織布やろ紙などを山谷に折ることにより形成された、プリーツ状の塵埃捕集手段である集塵フィルター２５の山谷を回転しながら順々になぞることにより、集塵フィルター２５に振動を与えて、細塵の除塵を行なったが、他の手段、即ち、減速機構を備え電力を供給することで駆動するモータの軸に連結され、モータが駆動することによってガイド溝に沿って干渉体が移動し、この動作によって、集塵フィルターのプリーツを順に叩き、振動させることによって集塵フィルターの塵埃捕集面側に付着した細塵を振るい落とす手段も利用することができる。
【図面の簡単な説明】
【００５３】
【図１】電気掃除機の全体概要図。
【図２】本発明の電気掃除機の紙パックを装着しようとした状態の断面図。
【図３】本発明の電気掃除機の紙パックを装着した状態の断面図。
【図４】本発明の電気掃除機のダストボックスを装着しようとした状態の断面図。
【図５】本発明の電気掃除機のダストボックスを装着した状態の断面図。
【図６】本発明の電気掃除機のモータの操作回路のブロック構成図。
【図７】本発明の電気掃除機のモータの操作回路の回路構成図。
【図８】本発明の電気掃除機の他のモータの操作回路のブロック構成図。
【図９】本発明の電気掃除機のＣＰＵの処理動作フローチャート図。
【符号の説明】
【００５４】
１                掃除機本体
２                床用吸込具
３                把持部
４                延長管
５                可撓性ホース
６                アタッチメント
７                集塵室
８                電動送風機室
９                電動送風機室（本体モータ）
１０              吸気口
１１              集塵室上蓋（ダストＢＯＸカバー）
１２              除塵手段
１３              除塵モータ
１７              紙パック装着検出スイッチ
１８              集塵室上蓋（ダストＢＯＸカバー）開閉検出スイッチ
２０              紙パック（集塵袋）
２１              袋
２２              台紙
２４              ダストボックス（集塵容器）
２５              塵埃捕集手段（集塵フィルター）
３０              制御基板
３１              制御部
３２              ＣＰＵ
３３              制御回路
３４              除塵モータ制御回路
３５              手元スイッチ
３７              電源部
３８              制御素子
３９              モータ電流検出回路
【図１】
2008289764.tif 000004
【図２】
2008289764.tif 000005
【図３】
2008289764.tif 000006
【図４】
2008289764.tif 000007
【図５】
2008289764.tif 000008
【図６】
2008289764.tif 000009
【図７】
2008289764.tif 000010
【図８】
2008289764.tif 000011
【図９】
2008289764.tif 000012